(57)【要約】【課題】自動的に国や地域の電話規格や仕様に合わせた制御を行うことができる構内交換機を提供することを目的とする。【解決手段】外部記憶媒体からデータファイルを読み込み可能な記憶媒体ドライブ手段を備えた構内交換機であって、構内交換機の制御パラメータを初期化するために、外部記憶媒体から、初期値データファイルを取り出し、初期値データファイルに基づいて、制御パラメータを生成する制御パラメータ処理手段を備えた。【選択図】  図１
2004282589.tif 000002
【特許請求の範囲】
【請求項１】
外部記憶媒体からデータファイルを読み込み可能な記憶媒体ドライブ手段を備えた構内交換機であって、
構内交換機の制御パラメータを初期化するために、前記外部記憶媒体から、初期値データファイルを取り出し、初期値データファイルに基づいて、前記制御パラメータデータを生成する制御パラメータ処理手段を備えたことを特徴とする構内交換機。
【請求項２】
前記制御パラメータ処理手段は、
前記初期値データファイルに基づいて生成した前記制御パラメータデータを、前記外部記憶媒体に記憶することを特徴とする請求項１に記載の構内交換機。
【請求項３】
ユニット収納部に収納されたユニットの種類を該ユニット収納部ごとに検出するユニット種別検出手段を有し、
前記制御パラメータ処理手段は、
前記ユニット種別検出手段で検出したユニットの種類に関してのデータのみを前記外部記憶媒体に記憶された初期値データファイルから取り出して、制御パラメータを生成することを特徴とする請求項１または請求項２に記載の構内交換機。
【請求項４】
前記制御パラメータ処理手段は、
前記初期値データファイルに基づいて制御パラメータを生成する前に、内部記憶手段に格納された第２の初期値データに基づいて制御パラメータを生成し、前記外部記憶媒体に初期値データファイルがないと判定したときに、前記内部記憶手段に格納された第２の初期値データに基づいて生成した制御パラメータを前記外部記憶媒体に格納することを特徴とする請求項１〜３のいずれかに記載の構内交換機。
【請求項５】
コンピュータ装置を接続可能なインターフェイスを有し、
前記制御パラメータ処理手段は、
前記インターフェイスを介して、コンピュータ装置から初期値データファイルのアップロードがあったときは、該アップロードされた初期値データファイルを前記外部記憶媒体に記憶することを特徴とする請求項１〜４のいずれかに記載の構内交換機。
【請求項６】
初期化モードにて、電源がオンされたとき又はリセットスイッチが操作されたときに、前記制御パラメータ処理手段を動作させる制御手段を有することを特徴とする請求項１〜５のいずれかに記載の構内交換機。
【請求項７】
コンピュータを、
入力手段から入力される国番号情報を検出する検出手段と、
前記検出手段で検出された国番号に対応する構内交換機初期化用ファイルデータを記憶媒体から読み出すデータ読み出し手段と、
前記読み出し手段で読み出した構内交換機初期化用ファイルデータを構内交換機に出力する出力手段として機能させるためのプログラム。
【発明の詳細な説明】
【０００１】
【発明の属する技術分野】
本発明は、外部記憶媒体からデータファイルを読み込み可能な記憶媒体ドライブ手段を備えた構内交換機に関するものである。
【０００２】
【従来の技術】
従来、構内交換機等の電話装置を複数の国に展開して販売しようとする場合、国ごとに要求される電話規格や仕様を満足するため、国ごとに電話規格や仕様を満足する制御パラメータデータをＲＯＭなどに記憶させる必要があり、国ごとにＲＯＭ等をのせ替えて製造販売を行っていた。
【０００３】
このように国別に制御パラメータデータが異なるため、国ごとに製品を製造販売する必要があるが、複数の国に適用するＰＢ信号の各々のレベルを一つのＲＯＭに格納し、ＰＢＸ設置時に識別コードを設定するだけで、１種類のＲＯＭで全世界に対応できるような構内交換機が提案されている（例えば、特許文献１参照）。
【０００４】
【特許文献１】
特開平６−２９２２４４号公報
【０００５】
【発明が解決しようとする課題】
しかしながら上記従来の構内交換機では、ＰＢ信号のレベルといったごくわずかなデータであれば、記憶手段の記憶容量は気にする必要がないものの、国ごとに変更すべきデータが多量にあった場合には、コストや設計等の問題が生じ実用的でない。また、バージョンアップ等で新規の機能が追加された場合には、ＲＯＭに固定的に記憶されているため、ＲＯＭの交換をしなければならない等の課題があった。
【０００６】
本発明は、上記従来の課題に鑑み、自動的に国や地域の電話規格や仕様に合わせた制御を行うことができる構内交換機を提供することを目的とする。
【０００７】
【課題を解決するための手段】
本発明は上記従来の課題を解決するために、外部記憶媒体からデータファイルを読み込み可能な記憶媒体ドライブ手段を備えた構内交換機であって、構内交換機の制御パラメータを初期化するために、外部記憶媒体から、初期値データファイルを取り出し、初期値データファイルに基づいて、制御パラメータを生成する制御パラメータ処理手段を備えたこととしたので、外部記憶媒体に格納された初期値データのファイルを使用して、制御パラメータデータファイルを生成することができるので、国や地域ごとに異なる電話規格や構内交換機の仕様が存在している場合であっても、国や地域ごとに初期値データファイルを外部記憶媒体に記憶させておくだけで、自動的に国や地域の電話規格や仕様に合わせた制御を行うことができる構内交換機を提供することができるようになった。
【０００８】
【発明の実施の形態】
本発明の請求項１に記載の発明は、外部記憶媒体からデータファイルを読み込み可能な記憶媒体ドライブ手段を備えた構内交換機であって、構内交換機の制御パラメータを初期化するために、外部記憶媒体から、初期値データファイルを取り出し、初期値データファイルに基づいて、制御パラメータを生成する制御パラメータ処理手段を備えたことを特徴とするものであり、外部記憶媒体に格納された初期値データのファイルを使用して、制御パラメータデータファイルを生成することができるので、国や地域ごとに異なる電話規格や構内交換機の仕様が存在している場合であっても、国や地域ごとに初期値データファイルを外部記憶媒体に記憶させておくだけで、自動的に国や地域の電話規格や仕様に合わせた制御を行うように交換機を動作させることができる。したがって、構内交換機を設置する者は、設置しようとする国用又は地域用に用意される初期値データファイルを外部記憶媒体に格納しておきさえすればよく、全ての国や地域の初期値データファイルをＲＯＭなどの不揮発性メモリに格納しておく必要がなくなり、不揮発性メモリの容量を低減できる。また、予め設置場所の国又は地域にあった初期値データファイルを外部記憶媒体に記憶させておきさえすればよいので、ＲＯＭなどの不揮発性メモリに多数の初期値データファイルを格納した場合にいずれの一つを選択するかを設置時に行う面倒を避けることができ、更にＲＯＭなどの不揮発性メモリに入れた場合には、初期値データファイルがバージョンアップしたようなときには、不揮発性メモリを基板から取り外して交換する煩わしさやその交換の際に、静電破壊を生じる恐れがあるが、外部記憶媒体の場合には、そのような煩わしさがないという作用を有する。
【０００９】
本発明の請求項２に記載の発明は、請求項１に記載の発明において、制御パラメータ処理手段は、初期値データファイルに基づいて生成した制御パラメータデータを、外部記憶媒体に記憶することを特徴とするものであり、通常の運用時に使用する制御パラメータデータの格納場所として、比較的コストの安い揮発性メモリを使用した場合にでも、同じ制御パラメータデータが外部記憶媒体に記憶されていることになり、構内交換機の電源の入力が中断した場合でも、制御パラメータデータが消えてしまうことを回避することができるという作用を有する。
【００１０】
本発明の請求項３に記載の発明は、請求項１または請求項２に記載の発明において、ユニット収納部に収納されたユニットの種類をユニット収納部ごとに検出するユニット種別検出手段を有し、制御パラメータ処理手段は、ユニット種別検出手段で検出したユニットの種類に関してのデータのみを外部記憶媒体に記憶された初期値データファイルから取り出して、制御パラメータを生成することを特徴とするものであり、制御パラメータ処理手段は、初期値データファイルのうち、構内交換機に実装されたユニットに必要なパラメータだけ取り出せばよいから制御パラメータデータの生成が容易になる。またユニットのパラメータはユニットごとに分かれているため、構内交換機を設置した後、新たに追加された新規種類のユニット用のパラメータデータを容易に追加すればよいから、制御パラメータデータの変更が容易になるという作用を有する。
【００１１】
本発明の請求項４に記載の発明は、請求項１〜３のいずれかに記載の発明において、制御パラメータ処理手段は、初期値データファイルに基づいて制御パラメータを生成する前に、内部記憶手段に格納された第２の初期値データに基づいて制御パラメータを生成し、外部記憶媒体に初期値データファイルがないと判定したときに、内部記憶手段に格納された第２の初期値データに基づいて生成した制御パラメータを外部記憶媒体に格納することを特徴とするものであり、記憶媒体読込／書込手段に外部記憶媒体が接続されていないような状態であっても、所定の初期値データに基づいて制御パラメータデータが生成されるから、この所定の初期値データファイルが適用可能な国や地域では、外部記憶媒体が不要となるという作用を有する。
【００１２】
本発明の請求項５に記載の発明は、請求項１から請求項４のいずれかに記載の発明において、コンピュータ装置を接続可能なインターフェイスを有し、制御パラメータ処理手段は、インターフェイスを介して、コンピュータ装置から初期値データファイルのアップロードがあったときは、アップロードされた初期値データファイルを外部記憶媒体に記憶することを特徴とするものであり、ＣＤ−ＲＯＭ等の記憶媒体に、セットアップ用のプログラムとともに、全ての国若しくは地域の初期値データファイルを格納しておき、コンピュータ装置でこのＣＤ―ＲＯＭを読み込むことにより、簡単な操作で、構内交換機の記憶媒体読込／書込手段に接続された外部記憶媒体に必要な初期値データファイルのみを書き込むことができるようになるという作用を有する。
【００１３】
本発明の請求項６に記載の発明は、請求項１から請求項５のいずれかに記載の発明において、初期化モードにて電源がオンされたとき又はリセットスイッチが操作されたときに、制御パラメータ処理手段を動作させる制御手段を有することを特徴とするものであり、ハードウェアスイッチなどで初期化モードに設定しておきさえすれば、制御パラメータデータの初期化の動作を行うので、容易に制御パラメータデータの初期化ができるとともに、初期化モードに設定されていなければ、制御パラメータデータの初期化の動作を行われないので、初期化モードに設定されていない限り、誤った外部記憶媒体を記憶媒体読込／書込手段に接続しているような場合であっても、設置環境と異なる仕様の制御パラメータデータが生成されることを回避することができる。
という作用を有する。
【００１４】
本発明の請求項７に記載の発明は、コンピュータを、入力手段から入力される国番号情報を検出する検出手段と、検出手段で検出された国番号に対応する初期値データファイルを記憶媒体から読み出すデータ読み出し手段と、読み出し手段で読み出した構内交換機初期化用ファイルデータを構内交換機に出力する出力手段として機能させることを特徴とするものであり、例えば、ＣＤ−ＲＯＭ等の記憶媒体に、セットアップ用のプログラムとともに、全ての国若しくは地域の初期値データファイルを格納しておき、コンピュータ装置でこのＣＤ―ＲＯＭを読み込むことにより、簡単な操作で、構内交換機の記憶媒体読込／書込手段に接続された外部記憶媒体に必要な初期値データファイルのみを書き込むことができるようになるという作用を有する。
【００１５】
以下、本発明の実施の形態について、図面を参照しながら説明する。
【００１６】
（実施の形態１）
図１は本発明の一実施の形態を示す構内交換機システムの構成図である。
【００１７】
図１において、１は構内交換機、２は内線電話機、３はコンピュータ装置（ＰＣ）である。
【００１８】
１１ａ〜１１ｆは、外線ユニットや内線ユニット等を接続するためのユニット収容部であり、それぞれのユニット収納部１１には、接続すべきユニットの種類は決められておらず、所定のユニットであれば、どのような種類のユニットでも接続することが可能である。
【００１９】
１２は、ユニット収容部１１に収納可能なユニット（カード状のものも含む）であり、種々のものがある。例えば、図１のように構内交換機１にユニット１２が接続されている場合、１２ａはアナログ電話回線に通信するためのアナログ外線インターフェイスを複数備えたアナログ外線ユニット、１２ｂはデジタル電話回線と通信するためのデジタル外線インターフェイスを複数備えたデジタル外線ユニット、１２ｃ，ｄ，ｆは、アナログの一般電話機（Ｔ−Ｒ電話装置）と通信するためにＢＯＲＳＣＨＴ機能等を備えたアナログ内線インターフェイスを複数備えたアナログ内線ユニット、１２ｅはボタン電話機などのデジタル専用電話と２Ｂ＋Ｄ等により通信するためのデジタル内線インターフェイスを複数備えたデジタル内線ユニットである。これらのユニットには、自ユニットの種別（例えば、アナログ外線ユニットやアナログ内線ユニット）情報を記憶しており、構内交換機１の制御手段によりその情報を取り出すことができるように構成している。
【００２０】
１３はユニット収容部に接続された各ユニット１２の音声信号の接続等を行う時分割スイッチ（Ｔ−ＳＷ）、１９はコンピュータを接続するためのインターフェイス、１４はメモリーカードやＣＤ−ＲＯＭなどの外部記憶媒体、１５は外部記憶媒体１４への書き込みや外部記憶媒体１４からの読み込みの動作をするメモリーカードドライブやＣＤ−ＲＯＭドライブなどの記憶媒体読込／書込手段（記憶媒体ドライブ手段）、１６はパラメータデータ等を記憶する内部記憶手段である揮発性メモリ、１７はプログラム等を記憶する内部記憶手段である不揮発性メモリ、１８は構内交換機１全体を制御する制御手段であり、記憶媒体読込／書込手段１５を駆動させ、外部記憶媒体１４へのデータの書き込みや、外部記憶媒体１４からのデータの読み込む等の制御も行う。
【００２１】
なお、パラメータデータには、構内交換機１の設置の際に設置者により設定された設定パラメータデータや国別若しくは地域別に仕様を合わせるための制御パラメータデータ等が含まれる。ここで、設定パラメータデータには、例えば、短縮ダイヤルや電話帳の情報、収容しているユニット１２の実装情報、外線グループの情報、内線グループの情報、内線番号の設定情報等がある。また、制御パラメータデータの情報には、例えば、電話帳各種トーン信号の周波数、緊急ダイヤルの電話番号、パルススピード、フラッシュ時間、ダイヤル信号のレベル等の設定値、電話機の機能ボタンの機能情報、内線電話機の送受話ゲイン値等がある。なお、制御パラメータ情報には、構内交換機１の設置の際に設置者により設定することができるものとできないものが存在するが、設定できるものだけであってもよいし、設定できないものだけであっても、いずれも本発明の趣旨に反するものではない。
【００２２】
図２は、構内交換機１の制御パラメータデータを初期化するときの制御手段１８の機能ブロックを示したものである。
【００２３】
図２において、制御手段１８は、制御パラメータ処理手段１８ａ、ＰＣ要求処理手段１８ｂ、実装ユニット検出手段１８ｃから構成される。
【００２４】
制御パラメータ処理手段１８ａは外部記憶媒体１４から初期データファイルを取り出して、制御パラメータデータを揮発性メモリ１６に記憶するための処理を行う。また、ＰＣ要求処理手段１８ｂはコンピュータ装置３からの要求を処理する。  実装ユニット検出手段１８ｃはユニット収容部１１ａ〜ｆにユニット１２が実装されているかを検出し、又実装されている場合にはユニット１２の種類をも検出する。
【００２５】
なお、不揮発性メモリ１７には、動作プログラムが記憶されている。
【００２６】
また、ここで初期化とは、構内交換機１の各種パラメータを初期状態にすることをいい、例えば、ユニット１２の実装状態に合わせた制御パラメータデータを生成したり、設定パラメータデータを空の状態にする等の動作をいい、パラメータデータが壊れたときや交換機を新規に設置したとき等に用いられるものである。
【００２７】
以上のように構成された構内交換機について、図３のフローチャートに沿って、以下その動作を説明する。
【００２８】
図３は、構内交換機１に電源を入力したときの動作を示すフローチャートである。
【００２９】
まず、構内交換機１に電源が投入されると、制御パラメータ処理手段１８ａは、初期化するためのモード（初期化立上モード）になっているかを判定する（Ｓ１）。ここで、初期化するモードになっているかは、ハードスイッチ（図示せず）が初期化するモードに切り替えされているかを識別することにより行われる。また、構内交換機１に電源を入力したときの動作について以下説明するが、立ち上げ動作は、構内交換機１に電源を入力した場合に限られず、リセットスイッチ（図示せず）を押下した場合にもＳ１に移行する。
【００３０】
実装ユニット検出手段１８ｃは、初期化立上モードに設定されていると判定した場合、ユニット収容部１１ａ〜ｆにユニット１２が実装されているかを検出し、又実装されている場合にはユニット１２の種類をも検出する（Ｓ２）。
【００３１】
その後、制御パラメータ処理手段１８ａは、揮発性メモリ１６の制御パラメータ格納領域を初期化（例えば、ＦＦＦＦ・・を記憶させる）した後、不揮発性メモリ１７に予め記憶されている初期値データ（以下、「基本初期値データ」と呼ぶ）のうち、ユニット１２に関連しない共通のデータと、実装ユニット検出手段１８ｃが検出したユニット１２に関連するデータを不揮発性メモリ１７から読み出す。
【００３２】
なお、基本初期値データのデータ構成は、外部記憶媒体１４に格納された初期値データファイルのデータ構成と同じであり、図５（ａ）の「初期値データファイル」領域に示すよう構成されている。ただし、初期値データは、ファイルとして読み込む必要はないため、ファイル形式で構成される必要はなく、同等のデータが存在していれば足りる。
【００３３】
そして、制御パラメータ処理手段１８ａは、ユニット１２に関連しない共通のデータと、ユニット収容部１１ａ〜ｈそれぞれにユニット種別に対応して割当てたデータとを一つの制御パラメータデータファイルとして、揮発性メモリ１６の制御パラメータ格納領域に書き込む（Ｓ３）。従って、揮発性メモリ１６の制御パラメータ格納領域には、図５（ｂ）のように、共通部分パラメータ、ユニット１パラメータ、ユニット２パラメータ、・・、ユニット６パラメータから構成される制御パラメータデータファイルが格納されることになる。
【００３４】
なお、図１のようにユニット収容部１１ａ〜ｈにユニット１２が接続されていた場合、制御パラメータデータファイルは、共通部分パラメータ、アナログ外線ユニットパラメータ、デジタル外線ユニットパラメータ、アナログ内線ユニットパラメータ、アナログ内線ユニットパラメータ、デジタル内線ユニットパラメータ、アナログ内線ユニットパラメータから構成されることになる。
【００３５】
揮発性メモリ１６の制御パラメータ格納領域に制御パラメータデータファイルを格納すると、制御パラメータ処理手段１８ａは、記憶媒体読込／書込手段１５（記憶媒体ドライブ手段）を駆動させ、外部記憶媒体１４に記憶されたデータのファイル名の読込をはじめ（Ｓ４）、外部記憶媒体１４に記憶されたデータに初期値データのファイルが存在するかどうかを判定する（Ｓ５）。
【００３６】
制御パラメータ処理手段１８ａは、初期値データのファイルが存在すると判定した場合、記憶媒体読込／書込手段１５を駆動させ、その初期値データファイルを読込む（Ｓ６）。
【００３７】
次に、制御パラメータ処理手段１８ａは、初期値データファイルのうち、ユニット１２に関連しない共通のデータと、実装ユニット検出手段１８ｃが検出したユニット１２に関連するデータを読み出す。そして、制御パラメータ処理手段１８ａは、ユニット１２に関連しない共通のデータと、ユニット収容部１１ａ〜ｈそれぞれにユニット種別に対応して割当てたデータとを一つの制御パラメータデータファイルとして、揮発性メモリ１６の制御パラメータ格納領域に書き込む（Ｓ７）。
【００３８】
制御パラメータデータファイルを揮発性メモリ１６の制御パラメータ格納領域に書き込みが終了すると、制御パラメータ処理手段１８ａは、揮発性メモリ１６の制御パラメータ格納領域から、制御パラメータデータファイルを取り出し、記憶媒体読込／書込手段１５を駆動させ、その制御パラメータデータファイルを書き込む（Ｓ８）。
【００３９】
このように、外部記憶媒体１４に格納された初期値データのファイルを使用して、制御パラメータデータファイルを生成することができるので、国や地域ごとに異なる電話規格や構内交換機１の仕様が存在している場合であっても、国や地域ごとに初期値データファイルを外部記憶媒体１４に記憶させておくだけで、自動的に国や地域の電話規格や仕様に合わせた制御を行う交換機を提供することができるようになる。
【００４０】
したがって、本発明の実施の形態１の構内交換機を設置するものは、設置しようとする国用又は地域用に用意される初期値データファイルを外部記憶媒体１４に格納しておきさえすればよく、全ての国や地域の初期値データファイルをＲＯＭなどの不揮発性メモリに格納しておく必要がなくなり、不揮発性メモリの容量を低減できる。
【００４１】
また、予め設置場所の国又は地域にあった初期値データファイルを外部記憶媒体１４に記憶させておきさえすればよいので、ＲＯＭなどの不揮発性メモリに多数の初期値データファイルを格納した場合にいずれの一つを選択するかを設置時に行う面倒を避けることができ、更にＲＯＭなどの不揮発性メモリに入れた場合には、初期値データファイルがバージョンアップしたようなときには、不揮発性メモリを基板から取り外して交換する煩わしさやその交換の際に、静電破壊を生じる恐れがあるが、外部記憶媒体１４の場合には、そのような煩わしさがない。
【００４２】
また、外部記憶媒体１４はＳＤカードやスティックカードなどのメモリーカードやＣＤ−ＲＯＭ等であるから、サーバ（図示せず）からインターネットやローカルネットワーク経由で最新バージョンの初期値データファイルをパソコンなどのコンピュータ装置にダウンロードして、コンピュータ装置で簡単に外部記憶媒体１４に書き込むことができる。
【００４３】
また、初期値データファイルは、共通部分のパラメータとユニット１２の種類ごとのパラメータから構成されるため、制御パラメータ処理手段１８ａは、初期値データファイルのうち、必要なパラメータだけ取り出せばよい。またユニット１２のパラメータはユニット１２ごとに分かれているため、構内交換機１を設置した後、新たに追加された新規種類のユニット用のパラメータデータを容易に追加すればよいから、制御パラメータデータの変更が容易になる。
【００４４】
なお、Ｓ５で、外部記憶媒体１４に初期値データファイルが存在しないと制御パラメータ処理手段１８ａが判定したときは、Ｓ８で揮発性メモリ１６の制御パラメータ格納領域から、基本初期値データで生成した制御パラメータデータファイルを取り出し、記憶媒体読込／書込手段１５を駆動させ、その制御パラメータデータファイルを書き込んで（Ｓ８）、立ち上げ処理を完了する。
【００４５】
従って、記憶媒体読込／書込手段１５に外部記憶媒体１４が接続されていないような状態であっても、所定の初期値データファイルに基づいて制御パラメータデータが生成されるから、この所定の初期値データファイルが適用可能な国や地域では、外部記憶媒体１４が不要となる。
【００４６】
また、Ｓ１で初期化立上モードに設定されていないと判定した場合、制御手段１８は、記憶媒体読込／書込手段１５を駆動させ、外部記憶媒体１４にアクセスする（Ｓ９）。そして、制御手段１８は、外部記憶媒体１４に記憶されたデータに制御パラメータデータファイルが存在するかどうかを判定する（Ｓ１０）。制御パラメータデータファイルが存在すると判定した場合、制御手段１８は、記憶媒体読込／書込手段１５を駆動させ、外部記憶媒体１４から制御パラメータデータファイルを読み込み、読み込んだ制御パラメータデータファイルを、揮発性メモリ１６の制御パラメータ格納領域に書き込んで（Ｓ１１）、立ち上げ動作を完了する。
【００４７】
また、Ｓ１０で制御手段１８が、制御パラメータデータファイルが存在しないと判定した場合（制御パラメータデータファイルが壊れているような場合も含む。チェックサム等で判断）、セーフモードで立ち上げ処理（Ｓ１２）して、立ち上げを完了する。
【００４８】
ここで、セーフモードとは、コンピュータ装置３からの要求に対して処理するように最低限度、構内交換機１とコンピュータ装置３との通信を確保することができるモードであり、各ユニット１２は動作しない。
【００４９】
従って、制御パラメータデータファイルは揮発性メモリ１６の制御パラメータ格納領域に格納されているものの、揮発性メモリ１６は電源が供給されなくなったときには、内部に格納したデータは保持されないから、構内交換機１の電源をオフすると揮発性メモリ１６に格納しているデータは、データ消去又はデータ破壊が行われることから、電源入力による立ち上げ時には、揮発性メモリ１６のデータを使用することができない。この場合、外部記憶媒体１４から制御パラメータデータファイルを読み込む必要があるが、制御パラメータデータファイルが壊れているような場合には、そのまま通常モードで立ち上がってしまうと、正常な動作をすることができないが、セーフモードで立ち上げることができるので、各ユニット１２が動作せず、異常な動作をすることを避けることができる。
【００５０】
また、コンピュータ装置３との通信は最低限確保されるので、コンピュータ装置３から構内交換機１の動作状態やセーフモードでの立ち上げ理由等を確認することができ、適切な対応をとることができる。
【００５１】
次に、ＣＤ−ＲＯＭ等の記憶媒体に格納された初期値データファイルをコンピュータ装置から記憶媒体への記憶させる動作について、図４を用いて説明する。
【００５２】
コンピュータ装置３の操作により、構内交換機１の設定用のプログラム（ＣＤ−ＲＯＭに蓄積）をＣＤ−ＲＯＭから取り出して、コンピュータ装置３にインストールし、この設定用のプログラムをコンピュータ上で動作させる。
【００５３】
設定用のプログラムの動作により、コンピュータ装置３の表示手段（図示せず）上に国番号（例えば、日本であれば「８１」）の入力を促す表示を行うように機能し、その後、コンピュータ装置３の入力手段（図示せず）から国番号が入力されるのを待つように機能する（Ｓ２０）。
【００５４】
そして、設定用のプログラムの動作により、コンピュータ装置３の入力手段（図示せず）から国番号が入力されたと判定すると、コンピュータ装置３に備えられたＣＤ−ＲＯＭドライブ（図示せず）を駆動させ、ＣＤ−ＲＯＭから入力された国番号に対応する初期データファイルを取り出すように機能する（Ｓ２１）。
【００５５】
次に、設定用のプログラムの動作により、コンピュータ装置３の表示手段（図示せず）上に構内交換機１の初期設定（セットアップ）を行うか否かをボタンをＧＵＩとして表示するように機能する（Ｓ２２）。このボタンには、ＹＥＳボタンとＮＯボタンがあり、設定用のプログラムの動作により、コンピュータ装置３の操作者がコンピュータ装置３の入力手段によりＹＥＳボタンを押下したことを検出すると、Ｓ２１で取り出した初期データファイルを、ＰＣインターフェイス１９を介して構内交換機１に送信するように機能する（Ｓ２３）。
【００５６】
ＰＣインターフェイス１９を介して、コンピュータ装置３から初期データファイルを受け取った構内交換機１の制御手段１８は、記憶媒体読込／書込手段１５を駆動させ、その初期値データファイルを外部記憶媒体１４に書き込むことになる。
【００５７】
なお、すでに外部記憶媒体１４に初期データファイルが格納されているときは、その初期値データファイルを削除し、コンピュータ装置３から受け取った初期データファイルを外部記憶媒体１４に書き込む。
【００５８】
従って、このようにＣＤ−ＲＯＭ等の記憶媒体に、セットアップ用のプログラムとともに、全ての国若しくは地域の初期値データファイルを格納しておき、簡単な操作で、構内交換機１の記憶媒体読込／書込手段１５に接続された外部記憶媒体１４に必要な初期値データファイルのみを書き込むことができるようになる。そのため、最新バージョンの初期値データファイルをダウンロード可能にサーバ（図示せず）に蓄積しておけば、サーバ（図示せず）からインターネットやローカルネットワーク経由で最新バージョンの初期値データファイルを含むセットアップ用のプログラムをパソコンなどのコンピュータ装置にダウンロードして、コンピュータ装置３のハードディスク等に書き込むことが可能となる。これにより、常に最新の初期値データファイルにより立ち上げ処理が可能となるため、新しい種類のユニットが開発販売されたときにすばやい対応をすることが可能となる。
【００５９】
図６は、本発明の実施の形態１のコンピュータ装置３、外部記憶媒体１４及び揮発性記憶媒体１６との関係を概略した図であり、上述した内容を簡単に示すものである。
【００６０】
図６において、▲１▼は、コンピュータ装置３から国別又は地域別の初期値データファイルが取り出されて、外部記憶媒体１４に格納する流れを示したものである。▲２▼は、初期化立ち上げ時に、外部記憶媒体１４に記憶された初期値データファイルから、構内交換機１の実装情報に合わせたパラメータが取り出されて、揮発性メモリ１６に制御パラメータデータ領域に記憶される流れを示している。▲３▼は、制御パラメータデータが外部記憶媒体１４と揮発メモリ１４との間で、書き込みや読み出しが行われる流れを示している。
【００６１】
以上のように本発明の実施の形態１によれば、国や地域ごとに初期値データファイルを外部記憶媒体１４に記憶させておくだけで、自動的に国や地域の電話規格や仕様に合わせた制御を行う構内交換機を提供することができるようになる。
【００６２】
なお、揮発性メモリ１６の制御パラメータ格納領域に格納された制御パラメータデータファイルから、共通パラメータや各種ユニットパラメータを取り出して、外部記憶媒体１４に記憶された初期値データファイルの対応する部分に上書きするようにしてもよい。具体的には、コンピュータ装置３からＰＣインターフェイス１９を介して、初期値データファイルの更新を指示することにより、制御パラメータ処理手段１８ａが、揮発性メモリ１６の制御パラメータ格納領域の制御パラメータデータファイルからを共通パラメータや各種ユニットパラメータを取り出して、記憶媒体読込／書込手段１５を駆動させ、初期値データファイルの対応するパラメータに、取り出したパラメータデータを上書きすることにより行われる。
【００６３】
このようにすれば、設置者等の操作により制御パラメータデータの内容が初期値の状態から変わった場合に、その変更後の制御パラメータデータに含まれる共通パラメータや各種ユニットのパラメータを外部記憶媒体１４の初期値データファイルに上書きして記憶させることができるから、以後初期化立ち上げの際には、変更された初期値データファイルで制御パラメータデータを初期化することができる。従って、設置者等に応じた構内交換機の初期化動作をすることができる構内交換機を提供することが可能となる。
【００６４】
【発明の効果】
本発明は、外部記憶媒体からデータファイルを読み込み可能な記憶媒体ドライブ手段を備えた構内交換機であって、構内交換機の制御パラメータを初期化するために、外部記憶媒体から、初期値データファイルを取り出し、初期値データファイルに基づいて、制御パラメータを生成する制御パラメータ処理手段を備える構成としたので、国や地域ごとに初期値データファイルを外部記憶媒体に記憶させておくだけで、自動的に国や地域の電話規格や仕様に合わせた制御を行うことができる。
【図面の簡単な説明】
【図１】本発明の実施の形態１における構内交換機システムの構成図
【図２】本発明の実施の形態１における構内交換機の制御パラメータデータを初期化するときの制御手段の機能ブロック図
【図３】本発明の実施の形態１における構内交換機に電源を入力したときの動作を示すフローチャート
【図４】本発明の実施の形態１における記憶媒体に格納された初期値データファイルをコンピュータ装置から記憶媒体への記憶させる動作を示すフローチャート
【図５】本発明の実施の形態１における外部記憶媒体及び揮発性メモリのデータ構成を示す図
【図６】本発明の実施の形態１におけるコンピュータ装置、外部記憶媒体及び揮発性メモリとの関係を概略した図
【符号の説明】
１  構内交換機
２  内線電話機
３  コンピュータ装置
１１  ユニット収容部
１２  ユニット
１３  時分割スイッチ
１４  外部記憶媒体
１５  記憶手段読込／書込手段
１６  揮発性メモリ
１７  不揮発性メモリ
１８  制御手段
１８ａ  制御パラメータ処理手段
１８ｂ  ＰＣ要求処理手段
１８ｃ  実装ユニット検出手段
１９  ＰＣインターフェイス
【図１】
2004282589.tif 000003
【図２】
2004282589.tif 000004
【図３】
2004282589.tif 000005
【図４】
2004282589.tif 000006
【図５】
2004282589.tif 000007
【図６】
2004282589.tif 000008